(57)【特許請求の範囲】
【請求項１】
人体に装着されるチューブの一部を伸縮自在に形成したカバー部材で覆い、当該カバー部材を当該チューブに対して相対移動可能に形成したことを特徴とするチューブの引き抜き防止装置。
【請求項２】
少なくともカバー部材の一部に設置され所定以上の圧力が加わったことを検知して検知信号を出力する圧力検知手段と、
前記圧力検知手段の検知信号に基づいて警告を発する警告手段と、
を備えたことを特徴とする請求項１に記載のチューブの引き抜き防止装置。
【請求項３】
チューブまたはカバー部材の一部に設けられ、カバー部材が所定量伸長したときにこれを検知して検知信号を出力するスイッチ手段と、
前記スイッチ手段の検知信号に基づいて警告を発する警告手段と、
を備えたことを特徴とする請求項１に記載のチューブの引き抜き防止装置。
【請求項４】
カバー部材をコイル状に形成し、一端をチューブの人体装着箇所近傍に固定し、他端を自由端としたことを特徴とする請求項１〜３のいずれか一つに記載のチューブの引き抜き防止装置。
【請求項５】
警告手段は、発音手段、文字もしくは図形表示手段、発光手段のうちの少なくとも一つを備えたことを特徴とする請求項２〜４のいずれか一つに記載のチューブの引き抜き防止装置。
【請求項６】
警告手段は、警告内容を遠隔箇所に報知する通信手段を備えたことを特徴とする請求項２〜５のいずれか一つに記載のチューブの引き抜き防止装置。
【発明の詳細な説明】
【０００１】
【発明の属する技術分野】
この発明は、栄養の補給、輸血、点滴時等に人体に装着されるチューブを患者等が引き抜くのを遅延もしくは防止するチューブの引き抜き防止装置に関する。
【０００２】
【従来の技術】
栄養分を補給するためのチューブは、自力では食事をとることのできない、または何らかの理由により口から物を飲み込めない患者等に使用され、患者の鼻腔から挿入して液体状の栄養分を胃に直接供給できるようにしたものである。
【０００３】
【発明が解決しようとする課題】
しかしながら、このようなチューブは、装着に慣れないと不快感を感じるため、介護者が目を離した隙等に患者が鼻腔から引き抜いてしまうという問題があった。また、患者によっては、食事のたびにチューブを引き抜いてしまうため、その度に挿入し直さなければならず、患者および介護者双方の負担が増大してしまうという問題があった。
【０００４】
さらに、食事中にチューブが中途半端に抜けてしまうと、該チューブが気管に入ってしまい、摂取中の栄養剤が肺に入ってしまうという危険もあった。また、輸血時や点滴時に使用されるチューブも同様に、患者が引き抜いてしまうという危険性があった。
【０００５】
そこで、以上のような問題を解決するために、従来は栄養を補給するためのチューブに関しては、引き抜くことによって危険が生じる可能性が高い食事中に限り、患者の手を縛ったり、特別な手袋を装着させることによってチューブを直接把持できないようにするという措置を取っていた。
【０００６】
しかしながら、このような方法は患者に対して肉体的、精神的に不快を感じさせるだけでなく、人権侵害にあたるとされ、問題視されている。また、輸血時や点滴時に用いるチューブの場合にあっては、有効な対策がないのが実情であった。
【０００７】
この発明は、上記に鑑みてなされたものであって、患者等のチューブ装着者に精神的な負担を与えることなく、チューブの引き抜きを遅延もしくは防止できるチューブの引き抜き防止装置を得ることを目的とする。
【０００８】
また、この発明は、チューブの引き抜き動作時に患者や介護者等に警告できるチューブの引き抜き防止装置を得ることを目的とする。
【０００９】
【課題を解決するための手段】
上述した課題を解決し、目的を達成するために、この発明にかかるチューブの引き抜き防止装置は、人体に装着されるチューブの一部を伸縮自在に形成したカバー部材で覆い、当該カバー部材を当該チューブに対して相対移動可能に形成したものである。
【００１０】
チューブの引き抜き防止装置を装着した患者が不快感により意識的または無意識的にチューブを引き抜こうとする状態を仮定する。この場合、チューブはカバー部材に覆われているので、患者はチューブに直接触れることができず、当該カバー部材をつかむこととなる。このため、チューブを人体から引き抜こうとしても、カバー部材がチューブに対して相対移動して伸長するだけなので、人体から抜けることはない。これにより、チューブの引き抜きを効果的に遅延もしくは防止できる。
【００１１】
つぎの発明にかかるチューブの引き抜き防止装置は、少なくともカバー部材の一部に設置され所定以上の圧力が加わったことを検知して検知信号を出力する圧力検知手段と、前記圧力検知手段の検知信号に基づいて警告を発する警告手段とを備えたものである。
【００１２】
したがって、チューブの引き抜き動作が行われる初期の段階の当該チューブを掴んだときに圧力検知手段および警告手段によって警告が発せられるので、当該引き抜き動作の予防ができるとともに、仮にチューブが引き抜かれてしまった場合であっても、その後の処置に迅速に対応することができる。
【００１３】
つぎの発明にかかるチューブの引き抜き防止装置は、チューブまたはカバー部材の一部に設けられ、カバー部材が所定量伸長したときにこれを検知して検知信号を出力するスイッチ手段と、前記スイッチ手段の検知信号に基づいて警告を発する警告手段とを備えたものである。
【００１４】
したがって、チューブの引き抜き動作が行われたときは、スイッチ手段および警告手段によって警告が発せられるので、当該引き抜き動作の予防ができるとともに、仮にチューブが引き抜かれてしまった場合であっても、その後の処置に迅速に対応することができる。
【００１５】
つぎの発明にかかるチューブの引き抜き防止装置は、カバー部材をコイル状に形成し、一端をチューブの人体装着箇所近傍に固定し、他端を自由端としたものである。これにより、簡易な構成によって、チューブが人体から引き抜かれるのを効果的に遅延もしくは防止できる。
【００１６】
つぎの発明にかかるチューブの引き抜き防止装置は、警告手段による警告は、発音、文字もしくは図形表示、発光のうちの少なくとも一つからなるように構成したものである。これにより、適切な警告態様によって警告を確実に行うことができる。
【００１７】
つぎの発明にかかるチューブの引き抜き防止装置は、警告手段は、警告内容を遠隔箇所に報知する通信手段を備えたものである。これにより、介護者等はチューブ装着者の近くに常時いる必要がなくなるので、負担を軽減することができる。
【００１８】
【発明の実施の形態】
以下、この発明にかかるチューブの引き抜き防止装置の実施の形態を図面に基づいて詳細に説明する。なお、この実施の形態によりこの発明が限定されるものではない。
【００１９】
実施の形態１．
図１は、この発明の実施の形態１にかかるチューブの引き抜き防止装置を示す説明図である。なお、以下の説明においては、自力で食事をとるのが困難な患者に対する栄養補給を例にして説明する。チューブ１の一端は、栄養セット３に接続されており、他端は患者の鼻腔から体内に挿入されている。ここで、栄養セット３は、患者が摂取する栄養剤を入れるための容器である。なお、チューブ１は、栄養セット３からの栄養の補給量を調整する図示しない活栓が設けられる。
【００２０】
コイル状かつ伸縮自在に形成された伸縮カバー２は、上記チューブ１を覆うものであり、後述するように一端をチューブ１に固定されている。スイッチ部４は、チューブ１に設置され、たとえばマイクロスイッチ等のセンサにて構成されており、伸縮カバー２の伸長によってその端部が触ると、当該スイッチがＯＮとなるように形成されている。また、スイッチがＯＮになると、警報装置５に信号を送信するように形成されている。警報装置５は、たとえばスピーカにて構成され、スイッチ部４から信号が入力すると、ブザー等の所定の警告音や音声等を出力するようになっている。
【００２１】
つぎに、伸縮カバー２およびスイッチ部４について図２を用いてさらに詳細に説明する。ここで、図２は、伸縮カバーおよびスイッチ部の設置状態を示す説明図である。伸縮カバー２は、樹脂等の素材をコイル状に巻いて形成したものであり、その端部ａを患者の鼻腔近傍のチューブ１に固定してある。なお、この端部ａのチューブ１への固定手段は、テープ等によって固定したり、あるいはチューブ１および端部ａの両者に凹凸状の係合部分を設けて固定してもよい。
【００２２】
一方、チューブ１の端部ｂは自由端としてあり、伸縮カバー２は図中のＡ方向に伸長できるようになっている。スイッチ部４のチューブ１への設置位置Ｐは、伸縮カバー２が所定の長さ伸長すると、その端部ｂがスイッチ部４をＯＮにする位置に設定してある。ここで、上記所定の長さとは、伸縮カバー２の端部ａに加わる力がチューブ１を鼻腔から引き抜く力よりも小さくなるような長さである。
【００２３】
つぎに動作について説明する。患者が不快感により意識的または無意識的にチューブ１を引き抜こうとする状態を仮定する。この場合、チューブ１は伸縮カバー２に覆われているので、患者はチューブ１に直接触れることができず、伸縮カバー２をつかむこととなる。このため、チューブ１を鼻腔から引き抜こうとしても、上記所定の力が加わるまでは伸縮カバー２が伸長するだけで鼻腔から抜けることはない。
【００２４】
伸縮カバー２がスイッチ部４の設置位置Ｐまで伸長すると、端部ｂが当接してスイッチ部４がＯＮになるので、スイッチ部４は警報装置５に信号を送信し、その信号を受信した警報装置５は警告音（たとえば、ブザー音）を発する。この警告音は、チューブ１を意識的に引き抜こうとする患者に対しては、その動作を中止するように促すことができるとともに、無意識的に引き抜こうとしている患者に対しても同様に、注意を喚起することができる。
【００２５】
さらに、患者がチューブ１の引き抜き動作をしていることを介護者等に知らせることもできるので、チューブ１が引き抜かれるのを未然に防止することができる。また、仮にチューブ１が引き抜かれてしまった場合であっても、その後の処置に迅速に対応することができる。
【００２６】
なお、本装置を病院等で用いる場合には、警報装置５を遠隔のナースセンタに設置するようにしてもよいし、患者の近隣とナースセンタのような遠隔の場所との両方に設置するようにしてもよい。これらは、無線または有線の通信手段を介して実現できる。
【００２７】
以上のように、この実施の形態１にかかるチューブの引き抜き防止装置によれば、チューブ１に伸縮カバー２を設けたので、チューブ１が鼻腔から引き抜かれるのを効果的に遅延もしくは防止できる。
【００２８】
また、当該チューブ１の引き抜き動作が行われたときは、スイッチ部４および警報装置５によって所定の警告音が発せられるので、当該引き抜き動作の予防ができるとともに、仮にチューブ１が引き抜かれてしまった場合であっても、その後の処置に迅速に対応することができる。
【００２９】
また、警報装置５を介護者の待機場所等に設置することによって、当該介護者は患者の近くに常時いる必要がなくなるので、負担を軽減することができる。また、スイッチ部４を警報装置５に代えて、既存のナースコールに接続するようにしてもよい。このようにすれば、安価にシステムを構築することができる。
【００３０】
なお、上記実施の形態１においては、コイル状かつ伸縮自在に形成された伸縮カバー２を例にして説明したが、これに限定されず、患者がチューブ１を直接把持できない構造であれば、いかなるものでもよく、たとえば、蛇腹状かつ伸縮自在に形成したチューブであってもよい。
【００３１】
また、スイッチ部４をマイクロスイッチ等のセンサにて構成するものとして説明したが、これに限定されず、伸縮カバー２が伸長したときにスイッチがＯＮとなるものであればどのような構造のセンサでもよく、たとえば、圧力センサ等を用いることもできる。
【００３２】
また、警報装置５はブザー音等の発音するスピーカに限定されず、たとえば、音声メッセージを発するように、あるいは文字・図形情報を表示するように形成したり、ＬＥＤ等の発光手段を用いてもよい。また、それらを組み合わせて用いるようにしてもよい。
【００３３】
また、本実施例では伸縮カバー２の端部ａがチューブ１に固定されているものとして説明したがこれに限定されるものではない。ここで、他の例を図３を用いて説明する。なお、すでに説明した部材と同一もしくは相当する部材には同一の符号を付して重複説明を省略する。
【００３４】
図３に示すように伸縮カバー２の人体装着側の一端（端部ａ）に耳かけ部６を設ける。耳かけ部６はその一端を伸縮カバー２に設置し、もう一端はリング状に構成する。本装置の使用時は、このリング状に構成された部分を患者の耳にかけるものとする。
【００３５】
例えば、患者がチューブ１を引き抜こうとした時、該チューブ１は伸縮カバー２に覆われているので、患者はチューブ１に直接触れることができず、伸縮カバー２をつかむことになる。このため、チューブ１を鼻腔から引き抜こうとしても、伸縮カバー２は耳かけ部６を支点として伸長するだけで、チューブ１に対しては何ら力が加わることはなく、当該チューブ１は抜けることはない。
【００３６】
以上のように、チューブ１と伸縮カバー２を独立して構成すれば、伸縮カバー２がいくら伸長しても、チューブ１が当該伸縮カバー２と一緒に抜けることはない。
【００３７】
なお、耳かけ部６は伸縮自在でやわらかな部材とするのがよい。
また、耳かけ部６は両方の耳にかけられるような構成にしてもよいし、耳にかけるのではなくリング部分を大きくし、当該リング部分を後頭部に回すようにしてもよい。
【００３８】
また、伸縮カバー２の人体装着側の一端をテープ等で患者の人体に直接張り付けるようにしてもよい。また、伸縮カバー２の人体装着側の一端にクリップ等を設置し、患者の衣服に装着するようにしてもよい。この場合も上述同様にチューブ１が伸縮カバー２と一緒に抜けることはない。
【００３９】
また、患者に栄養補給をする場合の適用例について説明したが、これに限定されず、輸血や点滴等に用いるチューブについても同様に適用でき、同様の効果を期待できる。
【００４０】
実施の形態２．
図４は、この発明の実施の形態２にかかるチューブの引き抜き防止装置を示す説明図、図５は、リードスイッチの設置例を示す斜視図、図６は、リードスイッチの要部を示す斜視図である。なお、すでに説明した部材と同一もしくは相当する部材には、同一の符号を付して重複説明を省略する。
【００４１】
本実施の形態２は、スイッチ部４を、接点たるリード部４ａ，４ｂを備えたリードスイッチとして構成し、伸縮カバー２の伸長によりリード部４ａ，４ｂが開くことで、チューブ１の引き抜き動作を検知できるようにしたものである。このスイッチ部４は、図４および図５に示すように、伸縮カバー２の端部ａの近傍に設置されている。
【００４２】
また、図５および図６に示すように、リード部４ａ，４ｂは、伸縮カバー２の１組の隣接するコイル部に設けられており、通常は、接した状態で警報装置５との間でループ回路を構成し、当該警報装置５によって微弱電流が流されている。
【００４３】
つぎに動作について説明する。患者がチューブ１を鼻腔から引き抜こうとしても、チューブ１が伸縮カバー２に覆われているので、患者はチューブ１に直接触れることができず、伸縮カバー２をつかむこととなる。このため、チューブ１を鼻腔から引き抜こうとしても、所定の力が加わるまでは伸縮カバー２が図４中のＢ方向に伸長するだけで鼻腔から抜けることはない。
【００４４】
伸縮カバー２に所定以上の力が付与され、伸縮カバー２が伸長されると、前記隣接するコイル部が離れるので、リード部４ａ，４ｂが離れて接点が開く。すると、上記ループ回路に電流が流れなくなり、これを警報装置５が検知して所定の警告音またはメッセージ等を出力する。なお、誤検知や失検知を減少させるために、リード部４ａ，４ｂが設置されるコイルのそれぞれにいわゆるマジックテープや磁石を設けて、当該リード部４ａ，４ｂが接点を開く力を調節するようにしてもよい。
【００４５】
この警告音等は、チューブ１を意識的に引き抜こうとする患者に対しては、その動作を中止するように促すことができるとともに、無意識的に引き抜こうとしている患者に対しても同様に、注意を喚起することができる。
【００４６】
さらに、患者がチューブ１の引き抜き動作をしていることを介護者等に知らせることもできるので、チューブ１が引き抜かれるのを未然に防止することができる。また、仮にチューブ１が引き抜かれてしまった場合であっても、その後の処置に迅速に対応することができる。
【００４７】
なお、本装置を病院等で用いる場合には、警報装置５を遠隔のナースセンタに設置するようにしてもよいし、患者の近隣とナースセンタのような遠隔の場所との両方に設置するようにしてもよい。これらは、無線または有線の通信手段を介して実現できる。
【００４８】
以上のように、この実施の形態２にかかるチューブの引き抜き防止装置によれば、チューブ１が鼻腔から引き抜かれるのを効果的に遅延もしくは防止できる。
【００４９】
また、当該チューブ１の引き抜き動作が行われたときは、スイッチ部４および警報装置５によって所定の警告音が発せられるので、当該引き抜き動作の予防ができるとともに、仮にチューブ１が引き抜かれてしまった場合であっても、その後の処置に迅速に対応することができる。
【００５０】
また、警報装置５を介護者の待機場所等に設置することによって、当該介護者は患者の近くに常時いる必要がなくなるので、負担を軽減することができる。
【００５１】
なお、上記実施の形態２においては、スイッチ部４をリードスイッチにて構成するものとして説明したが、これに限定されず、伸縮カバー２が所定量伸長したことを検知できるものであれば、どのような構造のスイッチ手段でもよい。
【００５２】
実施の形態３．
実施の形態３は患者がチューブ１を引き抜こうとする初期の段階である、当該チューブ１を握ったことを検知して外部にブザー等の所定の警告を行うものである。本実施例では、後述する接点カバー１０と伸縮カバー２に設置されるリード線２０ａ、２０ｂによって圧力検知手段を構成している。
【００５３】
図７は、この発明の実施の形態３にかかるチューブの引き抜き防止装置を示す説明図である。なお、すでに説明した部材と同一もしくは相当する部材には、同一の符号を付して重複説明を省略する。
【００５４】
接点カバー１０は伸縮カバー２を覆うように設置するものである。なお、本実施例では、接点カバー１０を、患者がチューブを引き抜きく動作を行なう際に最も握る確率の高い端部ａ側に設置することとした。この確率は、発明者らが実際に実験によって求めたものである。
【００５５】
ここで、図８を用いて接点カバー１０について説明する。接点カバー１０はカバー部１１、導体部１２、不導体部１３、スペーサ１４から構成され、カバー部１１の上には図８ａに示すように導体部１２、不導体部１３、スペーサ１４が設置される。カバー部１１はガーゼ等で構成されている。導体部１２は金属等の電気を通すものであれば何であってもよい。不導体部１３は電気を通さない伸縮性のある物質で構成され、本実施例では網状のポリウレタンを用いている。スペーサ１４も不導体部１３と同様に電気を通さない伸縮性のある物質で構成され、本実施例ではスポンジを用い、図８ａに示すように各導体部１２の間に設置される。図８ｂは接点カバー１０を側面から見た図であり、スペーサ１４は導体部１２よりも高さがあり、不導体部１３を導体部１２より浮かせるように構成している。図８ｃは接点カバー１０を伸縮カバー２に巻きつけたときの断面図である。この図に示すように、導体部１２は不導体部１３とスペーサ１４によって伸縮カバー２には接触しないようになっている。
【００５６】
つぎに図９を用いて伸縮カバー２に設置されたリード線２０ａ、２０ｂについて説明する。リード線２０ａ、２０ｂはそれぞれ、伸縮カバー２のコイルに所定の距離をおいて設置される。ここで所定の距離とは、リード線２０ａが図８ａにおける導体部１２の上端ａ、リード線２０ｂが導体部１２の下端ｂに合う位置である。また、図７、図９に示すようにリード線２０ａ、２０ｂは警報装置５との間でループ回路を構成し、当該警報装置５によって微弱電流が流されている。
【００５７】
つぎに接点カバー１０とリード線２０ａ、２０ｂの関係について説明する。接点カバー１０は図７に示すように伸縮カバー２に設置されるが、その位置は各導体部１２の上端ａにリード線２０ａが、下端ｂにリード線２０ｂが合うように巻きつける。この状態の断面を示すのが図８ｃであり、前述したとおり、通常はリード線２０ａ、２０ｂと各導体部１２は不導体部１３およびスペーサ１４によって接触しないようになっている。ところが、接点カバー１０に一定以上の圧力が加わると、不導体部１３およびスペーサ１４が押しつぶされ、リード線２０ａ、２０ｂと各導体部１２が接触するようになる。このとき、ループ回路を構成するリード線２０ａ、２０ｂに電流が流れるようになる。
【００５８】
つぎに動作について説明する。警報装置５はリード線２０ａ、２０ｂのループ回路に微弱電流を流そうとするが、通常はリード線２０ａ、２０ｂが離れているため電流は流れない。ここで、患者がチューブ１を鼻腔から引き抜こうとしたとする。このとき患者は、まずチューブ１を掴む動作を行う。そこで、患者が接点カバー１０を掴むと、当該接点カバー１０の不導体部１３およびスペーサ１４がその圧力によって押しつぶされ、導体部１２とリード線２０ａ、２０ｂが接触する。すると、上述したループ回路に電流が流れるようになるので、これを警報装置５が検知して所定の警告音またはメッセージ等を出力する。
【００５９】
この警告音等は、チューブ１を意識的に掴んで引き抜こうとする患者に対しては、その動作を中止するように促すことができるとともに、無意識的に掴んで引き抜こうとしている患者に対しても同様に、注意を喚起することができる。
【００６０】
さらに、患者がチューブ１の引き抜き動作をしていることを介護者等に知らせることもできるので、チューブ１が引き抜かれるのを未然に防止することができる。また、仮にチューブ１が引き抜かれてしまった場合であっても、その後の処置に迅速に対応することができる。
【００６１】
なお、本実施例では接点カバー１０を図７に示すように端部ａ側のみに設置するようにしたが、これに限定されることはない。たとえば、伸縮カバー２全てを覆うようにしてもよいし、本実施例のような接点カバー１０を伸縮カバー２の複数箇所に設けるようにしてもよい。このように構成すれば、患者がチューブ１のどの部分を掴んでも検知できるし、さらに伸縮カバー２により引き抜きを遅延させることもできる。
【００６２】
また、本装置を病院等で用いる場合には、警報装置５を遠隔のナースセンタに設置するようにしてもよいし、患者の近隣とナースセンタのような遠隔の場所との両方に設置するようにしてもよい。これらは、無線または有線の通信手段を介して実現できる。
【００６３】
以上のように、この実施の形態３にかかるチューブの引き抜き防止装置によれば、チューブ１が鼻腔から引き抜かれるのを効果的に防止できる。
【００６４】
また、警報装置５を介護者の待機場所等に設置することによって、当該介護者は患者の近くに常時いる必要がなくなるので、負担を軽減することができる。
【００６５】
なお、上記実施の形態３においては、圧力検知手段を伸縮カバー２に設置したリード線２０ａ、２０ｂと接点カバー１０にて構成するものとして説明したが、これに限定されず、患者が伸縮カバー２を握ることによって生じる所定以上の圧力を検知できるものであれば、どのような構造でもよい。
【００６６】
【発明の効果】
以上説明したように、この発明にかかるチューブの引き抜き防止装置によれば、人体に装着されるチューブの一部を伸縮自在に形成したカバー部材で覆い、当該カバー部材を当該チューブに対して相対移動可能に形成したので、チューブが人体から引き抜かれるのを効果的に遅延もしくは防止できる。
【００６７】
つぎの発明にかかるチューブの引き抜き防止装置によれば、少なくともカバー部材の一部に設置され所定以上の圧力が加わったことを検知して検知信号を出力する圧力検知手段と、前記圧力検知手段の検知信号に基づいて警告を発する警告手段とを備えたので、チューブの引き抜きが行われる初期の段階の当該チューブを掴んだときに圧力検知手段および警告手段によって警告が発せられるので、当該引き抜き動作の予防ができるとともに、仮にチューブが引き抜かれてしまった場合であっても、その後の処置に迅速に対応することができる。
【００６８】
つぎの発明にかかるチューブの引き抜き防止装置によれば、チューブまたはカバー部材の一部に設けられ、カバー部材が所定量伸長したときにこれを検知して検知信号を出力するスイッチ手段と、前記スイッチ手段の検知信号に基づいて警告を発する警告手段とを備えたので、チューブの引き抜き動作が行われたときは、スイッチ手段および警告手段によって警告が発せられるので、当該引き抜き動作の予防ができるとともに、仮にチューブが引き抜かれてしまった場合であっても、その後の処置に迅速に対応することができる。
【００６９】
つぎの発明にかかるチューブの引き抜き防止装置によれば、カバー部材をコイル状に形成し、一端をチューブの人体装着箇所近傍に固定し、他端を自由端としたので、簡易な構成によって、チューブが人体から引き抜かれるのを効果的に遅延もしくは防止できる。
【００７０】
つぎの発明にかかるチューブの引き抜き防止装置によれば、警告手段は、発音手段、文字もしくは図形表示手段、発光手段のうちの少なくとも一つを備えて構成したので、適切な警告態様によって警告を確実に行うことができる。
【００７１】
つぎの発明にかかるチューブの引き抜き防止装置によれば、警告手段は、警告内容を遠隔箇所に報知する通信手段を備えたので、介護者等はチューブ装着者の近くに常時いる必要がなくなり、負担を軽減することができる。
【図面の簡単な説明】
【図１】この発明の実施の形態１にかかるチューブの引き抜き防止装置を示す説明図である。
【図２】伸縮カバーおよびスイッチ部の設置状態を示す説明図である。
【図３】伸縮カバーに耳かけ部を設置した状態の説明図である。
【図４】この発明の実施の形態２にかかるチューブの引き抜き防止装置を示す説明図である。
【図５】リードスイッチの設置例を示す斜視図である。
【図６】リードスイッチの要部を示す斜視図である。
【図７】この発明の実施の形態３にかかるチューブの引き抜き防止装置を示す説明図である。
【図８】接点カバーの要部を示す斜視図である。
【図９】リード線の設置例を示す斜視図である。
【符号の説明】
１  チューブ
２  伸縮カバー
３  栄養セット
４  スイッチ部
４ａ、４ｂ  リード部
５  警報装置
６  耳かけ部
１０  接点カバー
１１  カバー部
１２  導体部
１３  不導体部
１４  スペーサ
２０ａ、２０ｂ  リード線
【図１】
0004564200.tif 000002
【図２】
0004564200.tif 000003
【図３】
0004564200.tif 000004
【図４】
0004564200.tif 000005
【図５】
0004564200.tif 000006
【図６】
0004564200.tif 000007
【図７】
0004564200.tif 000008
【図８】
0004564200.tif 000009
【図９】
0004564200.tif 000010